(57)【要約】【課題】工程数増加や設計変更を伴うことなく、ブラウン管のネック部に装着される部品への帯電を防止し、また、帯電部品間の放電を発生し難くすることができるブラウン管のネック部構造を提供する。【解決手段】画像調整装置１１や偏向ヨーク１２等の各種部品がネック部１０外周に装着されたブラウン管のネック部構造において、各種部品を帯電防止用部材により形成した。また、各種部品が帯電した状態でも帯電部品間で放電現象を発生し難くするための、帯電防止用部材により形成された帯電部品と帯電部品を隔てるバリア１６を有する。バリア１６は、帯電部品である画像調整装置１１と偏向ヨーク１２の間に配置される。【選択図】　　　図１
0003097458.tif 000002
【実用新案登録請求の範囲】
【請求項１】
画像調整装置や偏向ヨーク等の各種部品がネック部外周に装着されたブラウン管のネック部構造において、
前記各種部品の、マグネット或いはコイル等の機能パーツ以外の機構パーツを、帯電を防ぐ帯電防止用部材を用いて形成することを特徴とするブラウン管のネック部構造。
【請求項２】
画像調整装置や偏向ヨーク等の各種部品がネック部外周に装着されたブラウン管のネック部構造において、
前記各種部品が帯電した状態でも放電現象を発生し難くする、帯電防止用部材により形成されて帯電部品と帯電部品を隔てるバリアを有することを特徴とするブラウン管のネック部構造。
【請求項３】
前記バリアは、前記帯電部品と前記帯電部品の間に配置され、外周が前記帯電部品の外周より外側に位置することを特徴とする請求項２に記載のブラウン管のネック部構造。
【請求項４】
前記帯電部品は、前記画像調整装置と前記偏向ヨークであり、前記バリアは、前記画像調整装置を前記ネック部外周に装着するホルダに取り付けられることを特徴とする請求項２または３に記載のブラウン管のネック部構造。
【請求項５】
前記バリアは、前記ネック部が貫通する孔を開けた板状体からなることを特徴とする請求項２から４のいずれかに記載のブラウン管のネック部構造。
【請求項６】
前記バリアは、バリア面に突設した、ホルダ装着時に前記ホルダの外周面に係止する係止部を有し、前記ホルダの端面に密着固定されることを特徴とする請求項５に記載のブラウン管のネック部構造。
【請求項７】
前記バリア面は、前記ホルダの端面形状に対応する形状を有し、前記係止部は、ホルダ装着時に弾性変形可能で前記バリア面の周縁に配置した４本からなることを特徴とする請求項６に記載のブラウン管のネック部構造。
【請求項８】
前記バリアは、前記板状体と一体的に形成された、前記帯電防止用部材からなり放電現象を発生させる前記帯電部品と前記帯電部品の一方を覆うカバー部を有することを特徴とする請求項２から７のいずれかに記載のブラウン管のネック部構造。
【請求項９】
前記帯電防止用部材は、樹脂又は金属からなることを特徴とする請求項１から８のいずれかに記載のブラウン管のネック部構造。
【請求項１０】
前記樹脂は、絶縁抵抗の低い樹脂であることを特徴とする請求項９に記載のブラウン管のネック部構造。
【請求項１１】
前記絶縁抵抗の低い樹脂は、炭素（Ｃ）を含む樹脂であることを特徴とする請求項１０に記載のブラウン管のネック部構造。
【考案の詳細な説明】
【０００１】
【考案の属する技術分野】
この考案は、ブラウン管のネック部構造に関し、特に、ネック部に装着された各種部品間に放電現象が発生するのを防止するブラウン管のネック部構造に関する。
【０００２】
【従来の技術】
従来、シャドウマスク形カラー受像管（ブラウン管）のネック部には、画像調整装置や偏向ヨーク（ｄｅｆｌｅｃｔｉｏｎ　ｙｏｋｅ：ＤＹ）等の各種部品が装着されている。
【０００３】
図５は、従来のブラウン管を示し、（ａ）は全体説明図、（ｂ）はネック部の部分拡大図である。図６は、従来の帯電対策を説明するネック部の部分拡大図である。
【０００４】
図５に示すように、ブラウン管１のネック部に装着された画像調整装置２や偏向ヨーク３等（（ａ）参照）の各種部品は、ブラウン管１に高圧電流が流れるため帯電し易く（擬似的に帯電状態ａを示す。（ｂ）参照）、帯電すると、帯電した電気からの磁力により、また、部品相互間で起こる放電現象により、画像に悪影響を及ぼしてしまう。
【０００５】
特に、画像調整装置２に隣接する偏向ヨーク３は、それ自体に高圧電流が流れるため画像調整装置２に比べて帯電し易く、距離や状況によっては、画像調整装置２が偏向ヨーク３からの放電スパークを受けることがあった（擬似的にスパーク状態ｂを示す。（ｂ）参照）。この放電スパークを受けた場合、画像調整装置２のコイル等が瞬間的に帯電して画像を乱すことがあり、また、それ自体も磁性体である画像調整装置２の持つ磁界が影響を受けて画像を乱す原因になった。
【０００６】
これは、ブラウン管１のネック部に装着する部品が帯電し易い部材を用いて作られており、放電を誘発し易かったからである。また、ブラウン管１のネック部には、金属製バンド４（（ｂ）参照）により部品が装着されるが、この金属製バンド４に帯電した電気が集まり易かったからである。
【０００７】
そこで、図６に示すように、帯電し易い金属製バンド４をリード線５等により接地し、金属製バンド４からグラウンド（ＧＮＤ）に帯電した電気を逃がしていた。
【０００８】
【考案が解決しようとする課題】
しかしながら、帯電した電気をリード線５等により既存のＧＮＤに落とす場合、接地用のリード線５を配置するために基板やリード線５の加工等の追加作業が必要となり、工程数の増加が避けられなかった。
【０００９】
また、画像調整装置２の本体にバリア形状を追加することも考えられるが、偏向ヨーク３側にバリア形状を形成する場合、金型成形時の離型を考慮してピンを貫通させなくてはならず、また、金型の離型構造を大きく変更して設計しなければならなかった。
【００１０】
この考案の目的は、工程数増加や設計変更を伴うことなく、ブラウン管のネック部に装着される部品への帯電を防止し、また、帯電部品間の放電を発生し難くすることができるブラウン管のネック部構造を提供することである。
【００１１】
【課題を解決するための手段】
上記目的を達成するため、この考案に係るブラウン管のネック部構造は、画像調整装置や偏向ヨーク等の各種部品がネック部外周に装着されたブラウン管のネック部構造において、前記各種部品の、マグネット或いはコイル等の機能パーツ以外の機構パーツを、帯電を防ぐ帯電防止用部材を用いて形成すること、また、前記各種部品が帯電した状態でも放電現象を発生し難くする、帯電防止用部材により形成されて帯電部品と帯電部品を隔てるバリアを有することを特徴としている。
【００１２】
上記構成を有することにより、ブラウン管のネック部外周に装着された画像調整装置や偏向ヨーク等の各種部品におけるマグネット或いはコイル等の機能パーツ以外の機構パーツが、帯電を防ぐ帯電防止用部材を用いて形成され、また、各種部品が帯電した状態でも帯電部品間で放電現象を発生し難くするための、帯電防止用部材により形成された帯電部品と帯電部品を隔てるバリアが備えられる。これにより、工程数増加や設計変更を伴うことなく、ブラウン管のネック部に装着される部品への帯電を防止し、また、帯電部品間の放電を発生し難くすることができる。
【００１３】
【考案の実施の形態】
以下、この考案の実施の形態について図面を参照して説明する。
【００１４】
図１は、この考案の一実施の形態に係るブラウン管のネック部の部分説明図である。図１に示すように、シャドウマスク形カラー受像管であるブラウン管（図５参照）のネック部１０の外周には、カラー画像を調整する画像調整装置１１や電子ビームを操作する偏向ヨーク（ＤＹ）１２等の各種部品が、隣接して装着されている。
【００１５】
画像調整装置１１は、ホルダ１３に嵌合状態に組み立てられ、カラーブラウン管の電子銃から放たれる赤（Ｒ）ビーム、青（Ｂ）ビーム、緑（Ｇ）ビームを一つに収束させるためのマグネットを備えた、ピュリティ・コンバーゼンス・マグネット（ＰＣＭ）からなる。
【００１６】
このＰＣＭは、偏向ヨーク１２側から記載順に互いに密着配置された、それぞれ二枚一組の２極コンバーゼンスマグネット１１ａ、２極コンバーゼンスマグネット１１ｂ、４極コンバーゼンスマグネット１１ｃ、及び６極コンバーゼンスマグネット１１ｄにより形成される。２極コンバーゼンスマグネット１１ａ及び２極コンバーゼンスマグネット１１ｂはピュリティ調整用、４極コンバーゼンスマグネット１１ｃ及び６極コンバーゼンスマグネット１１ｄはサイドビーム調整用である。
【００１７】
２極コンバーゼンスマグネット１１ａと２極コンバーゼンスマグネット１１ｂの間、及び２極コンバーゼンスマグネット１１ｂと４極コンバーゼンスマグネット１１ｃの間には、共回りを防止するリングが設けられ、４極コンバーゼンスマグネット１１ｃと６極コンバーゼンスマグネット１１ｄの間には、共回りを防止すると共にコンバーゼンスマグネットに回転トルクを与えるためのスプリング性を持つリングが設けられている。
【００１８】
また、ＰＣＭの外側に突出する、ホルダ１３の端子取付部１４には、プラス（＋）側の金属端子１５ａとマイナス（−）側の金属端子１５ｂ（図２参照）が取り付けられている。
【００１９】
画像調整装置１１と画像調整装置１１に隣り合う偏向ヨーク１２の間には、別部品であるアタッチメント式のバリア１６が配置されている。このバリア１６は、樹脂又は金属等の導電性物質からなる帯電防止用部材によって形成され、帯電部品である画像調整装置１１（２極コンバーゼンスマグネット１１ａ）と偏向ヨーク１２の間に位置し、画像調整装置１１をネック部１０外周に装着するホルダ１３に装着されている（図１参照）。
【００２０】
図２は、図１のＡ−Ａ線に沿う断面で示すバリア装着状態の概略説明図である。図２に示すように、ホルダ１３の偏向ヨーク側端面に装着されたバリア１６は、中央にネック部（図示しない）が貫通する貫通孔１７を開けた円盤状に形成されており、２極コンバーゼンスマグネット１１ａの偏向ヨーク側端面円盤部分をほぼ覆う大きさを有している。
【００２１】
図３は、図１のバリアを示し、（ａ）は平面図、（ｂ）は（ａ）のＢ−Ｂ線に沿う部分断面図を含む側面図である。図３に示すように、バリア１６の一方の面１６ａは平坦面からなり、他方の面１６ｂには、周壁１８、第１段部１９及び第２段部２０が設けられている。
【００２２】
周壁１８は、バリア１６の外周に沿うように円環状に形成され、第１段部１９と第２段部２０は、それぞれ対向配置された一対からなると共に、各対が交差配置されるように設けられている。周壁１８の上端には、第１段部１９と第２段部２０の間に位置して、他方の面１６ｂとほぼ直角に４個の係止部２１が突設されている。
【００２３】
他方の面１６ｂの周縁に配置された各係止部２１は、上端に、それぞれ周壁１８内側方向に向けて突出させた係止爪２１ａを有しており、この係止爪２１ａを周壁１８の内外方向に変位させることができるように変形可能な弾性を備えている。また、他方の面１６ｂは、ホルダ１３の偏向ヨーク側端面に密着可能に、ホルダ１３の偏向ヨーク側端面形状に対応した形状となるように形成されている。
【００２４】
つまり、画像調整装置１１や偏向ヨーク１２等の各種部品がネック部１０の外周に装着されたブラウン管のネック部１０に、各種部品が帯電した状態でも放電現象を発生し難くする、帯電防止用部材により形成されて帯電部品と帯電部品を隔てるバリア１６が備えられる。
【００２５】
なお、帯電部品と帯電部品の間に配置されるバリア１６は、外周が両側の帯電部品である画像調整装置１１及び偏向ヨーク１２の外周より外側に位置する大きさとしても良く、放電スパークを受け難くするために必要な大きさに形成する。また、円盤状に限らず、矩形状の板体により形成しても良い。
【００２６】
従って、バリア１６を、ネック部１０に装着されたホルダ１３に偏向ヨーク１２側から押し当てることにより、各係止部２１の係止爪２１ａが外側に押し広げられてホルダ１３外周面を摺動する。そして、バリア１６の他方の面１６ｂがホルダ１３端面に当接した際、各係止爪２１ａがホルダ１３外周面の凹部に入り込んで係止し、バリア１６は、ホルダ１３端面に密着固定されたホルダ装着状態となる（図１、図２参照）。
【００２７】
この状態で、バリア１６は、ネック部１０の外周にフランジ状の壁を形成し、隣接する偏向ヨーク１２と２極コンバーゼンスマグネット１１ａを隔離する。即ち、帯電防止部材からなるバリア１６は、各種部品が帯電した状態でも帯電部品間に放電路が形成されるのを阻止して放電現象を発生させ難くするために、帯電部品と帯電部品を隔てる壁となる。
【００２８】
従って、偏向ヨーク１２等や画像調整装置１１が帯電したとしても、偏向ヨーク１２と画像調整装置１１の間にはバリア１６が位置するため、画像調整装置１１が偏向ヨーク１２等からの放電スパーク（図５（ｂ）参照）を受け難くすることができる。よって、画像調整装置１１のコイル等が瞬間的に帯電して画像を乱してしまうこともなく、また、画像調整装置１１の持つ磁界が影響を受けて画像を乱す原因となることもない。
【００２９】
このように、バリア１６は、アタッチメント式の別部材として形成され、ＰＣＭ本体とは別の材料で作ることができるので、バリア１６のみを帯電防止用部材によって形成することができ、更に、外周面に孔一つない完全なバリア形状とすることができる。帯電防止用部材は、例えば炭素（Ｃ）を含む樹脂等の絶縁抵抗の低い樹脂である導電性樹脂或いは金属により形成される。
【００３０】
図４は、この考案の他の実施の形態に係るブラウン管のネック部を示し、（ａ）は一部破断した説明図、（ｂ）はカバー部を側方から見た図、（ｃ）はカバー部を開口側から見た図である。図４に示すように、この考案の他の例であるバリア２２は、矩形状の板状体からなるバリア１６と一体的に形成され、放電現象を発生させる帯電部品の一方である画像調整装置１１を覆う、帯電防止用部材からなる放電防止用のカバー部２２ａを有している。
【００３１】
画像調整装置１１のほぼ全体を覆うカバー部２２ａを備えたバリア２２は、バリア１６を底部としネック部１０端部側が開口（（ｃ）参照）する箱状を呈し（（ａ）参照）、カバー部２２ａの側面の開口を塞ぐ蓋２２ｂ（（ｂ）参照）を有している。
【００３２】
このバリア２２により、ネック部１０に取り付けられた画像調整装置１１のほぼ全体が覆われ、画像調整装置１１は偏向ヨーク１２等の帯電部材から隔離されるので、画像調整装置１１は他の帯電部材からの放電スパーク（図５（ｂ）参照）が受け難くなる。
【００３３】
また、ブラウン管のネック部１０に装着される、ＰＣＭからなる画像調整装置１１や偏向ヨーク１２等の各部品を、帯電し難くしてもよい。つまり、各部品を構成するマグネットやコイル等の機能パーツ以外の、各機能パーツに付随するホルダやリングやスペーサ等の機構パーツを、帯電を防ぐ帯電防止用部材を用いて形成する。これにより、各部品が帯電し難くなって、放電スパーク（図５（ｂ）参照）自体が発生し難くなる。
【００３４】
このように、この考案によれば、ブラウン管のネック部１０に装着される偏向ヨーク１２や画像調整装置１１等の各部品の機構パーツを、帯電防止用部材で形成することにより、これらの部品を帯電し難くして、偏向ヨーク１２等から放電スパークが発生し難くなるようにする。或いは、別部品として形成したアタッチメント式のバリア１６を偏向ヨーク１２等とＰＣＭの間に装着することにより、帯電した部品間に隔離壁を形成して、画像調整装置１１が偏向ヨーク１２等からの放電スパークを受け難くする。
【００３５】
従って、グラウンド（ＧＮＤ）に逃がすために接地したリード線等を用いることなく、ブラウン管のネック部１０における帯電による悪影響を排除することができる。また、バリア１６をアタッチメント式の別部品として形成することにより、ＰＣＭ本体とは別の部材で作ることができるので、帯電防止用部材の選択が可能になって安価に形成することができる。
【００３６】
なお、上記実施の形態において、係止部２１は対向配置された４個に限るものではなく、バリア１６をホルダ１３に係止することができるのであれば、配置状態及び個数は任意である。
【００３７】
【考案の効果】
以上説明したように、この考案によれば、ブラウン管のネック部外周に装着された画像調整装置や偏向ヨーク等の各種部品におけるマグネット或いはコイル等の機能パーツ以外の機構パーツが、帯電を防ぐ帯電防止用部材を用いて形成され、また、各種部品が帯電した状態でも帯電部品間で放電現象を発生し難くするための、帯電防止用部材により形成された帯電部品と帯電部品を隔てるバリアが備えられるので、工程数増加や設計変更を伴うことなく、ブラウン管のネック部に装着される部品への帯電を防止し、また、帯電部品間の放電を発生し難くすることができる。
【図面の簡単な説明】
【図１】この考案の一実施の形態に係るブラウン管のネック部の部分説明図である。
【図２】図１のＡ−Ａ線に沿う断面で示すバリア装着状態の概略説明図である。
【図３】図１のバリアを示し、（ａ）は平面図、（ｂ）は（ａ）のＢ−Ｂ線に沿う部分断面図を含む側面図である。
【図４】この考案の他の実施の形態に係るブラウン管のネック部を示し、（ａ）は一部破断した説明図、（ｂ）はカバー部を側方から見た図、（ｃ）はカバー部を開口側から見た図である。
【図５】従来のブラウン管を示し、（ａ）は全体説明図、（ｂ）はネック部の部分拡大図である。
【図６】従来の帯電対策を説明するネック部の部分拡大図である。
【符号の説明】
１０　ネック部
１１　画像調整装置
１１ａ，１１ｂ　２極コンバーゼンスマグネット
１１ｃ　４極コンバーゼンスマグネット
１１ｄ　６極コンバーゼンスマグネット
１２　偏向ヨーク
１３　ホルダ
１４　端子取付部
１５ａ，１５ｂ　金属端子
１６，２２　バリア
１６ａ　一方の面
１６ｂ　他方の面
１７　貫通孔
１８　周壁
１９　第１段部
２０　第２段部
２１　係止部
２１ａ　係止爪
２２ａ　カバー部
２２ｂ　蓋
【図１】
0003097458.tif 000003
【図２】
0003097458.tif 000004
【図３】
0003097458.tif 000005
【図４】
0003097458.tif 000006
【図５】
0003097458.tif 000007
【図６】
0003097458.tif 000008